(57)【特許請求の範囲】
【請求項１】
ダクトレールに対して有機ＥＬモジュールを取り付ける有機ＥＬモジュールの取付構造であって、
前記ダクトレールは、レール本体と、ダクト側コネクター部を有し、
前記レール本体は、溝部を有し、
前記有機ＥＬモジュールは、発光面を備えた有機ＥＬパネルと、モジュール側コネクター部を有し、
前記モジュール側コネクター部は、前記ダクト側コネクター部と対をなし、互いに嵌合可能であり、
前記ダクトレールに対して前記有機ＥＬモジュールを取り付けた状態において、前記溝部を通過して前記モジュール側コネクター部と前記ダクト側コネクター部が嵌合し、前記モジュール側コネクター部と前記ダクト側コネクター部の嵌合方向は、前記発光面の広がり方向と略直交することを特徴とする有機ＥＬモジュールの取付構造。
【請求項２】
前記ダクト側コネクター部は、前記溝部に沿ってスライド移動可能であることを特徴とする請求項１に記載の有機ＥＬモジュールの取付構造。
【請求項３】
前記ダクトレールに対して前記有機ＥＬモジュールを取り付けた状態において、前記有機ＥＬモジュールは、前記ダクト側コネクター部と前記モジュール側コネクター部の嵌合を介して、前記ダクトレールによって片持ち状に支持されていることを特徴とする請求項１又は２に記載の有機ＥＬモジュールの取付構造。
【請求項４】
前記モジュール側コネクター部と前記ダクト側コネクター部の嵌合方向は、水平方向であることを特徴とする請求項１〜３のいずれかに記載の有機ＥＬモジュールの取付構造。
【請求項５】
前記モジュール側コネクター部と前記ダクト側コネクター部の嵌合方向は、鉛直方向上方を向いていることを特徴とする請求項１〜３のいずれかに記載の有機ＥＬモジュールの取付構造。
【請求項６】
前記有機ＥＬモジュールは、接続部材を有し、
前記有機ＥＬパネルは、パネル側コネクター部を有し、
前記接続部材は、本体部を有しており、
前記本体部は、第１本体部と、第２本体部を有し、
前記第１本体部及び前記第２本体部は、ともに長尺体であって、直接又は間接的に接続されており、
前記第１本体部の長手方向は、前記第２本体部の長手方向に対して直交しており、
前記第１本体部の端部は、前記モジュール側コネクター部を備えており、
前記第２本体部の端部は、前記パネル側コネクター部と接続可能な接続側コネクター部を備えていることを特徴とする請求項１〜５のいずれかに記載の有機ＥＬモジュールの取付構造。
【請求項７】
前記パネル側コネクター部は、前記有機ＥＬパネルの背面側に位置するものであって、前記接続側コネクター部と嵌合しており、
前記パネル側コネクター部と前記接続側コネクター部の嵌合方向は、前記有機ＥＬパネルの発光面と略平行であることを特徴とする請求項６に記載の有機ＥＬモジュールの取付構造。
【請求項８】
１つのダクトレールに対して複数の有機ＥＬモジュールを取り付ける有機ＥＬモジュールの取付構造であって、
前記有機ＥＬモジュールは、１又は複数の有機ＥＬパネルを備え、
前記ダクトレールから各有機ＥＬモジュールで独立して給電可能であり、
一の有機ＥＬモジュールの有機ＥＬパネルは、前記ダクトレールの延び方向に隣接する他の有機ＥＬモジュールの有機ＥＬパネルと異なる発光色で発光可能であることを特徴とする請求項１〜７のいずれかに記載の有機ＥＬモジュールの取付構造。
【請求項９】
前記一の有機ＥＬモジュールの有機ＥＬパネルは、暖色系の発光色で発光可能であり、
前記他の有機ＥＬモジュールの有機ＥＬパネルは、寒色系の発光色で発光可能であることを特徴とする請求項８に記載の有機ＥＬモジュールの取付構造。
【請求項１０】
１つのダクトレールに対して複数の有機ＥＬモジュールを取り付ける有機ＥＬモジュールの取付構造であって、
前記有機ＥＬモジュールは、発光面を備えた有機ＥＬパネルを有し、
一の有機ＥＬモジュールの有機ＥＬパネルは、消灯時に発光面が鏡面を形成するものであり、
前記一の有機ＥＬモジュールに隣接する有機ＥＬモジュールの有機ＥＬパネルを点灯した状態で、前記一の有機ＥＬモジュールの有機ＥＬパネルを消灯可能であることを特徴とする請求項１〜９のいずれかに記載の有機ＥＬモジュールの取付構造。
【請求項１１】
レール本体とダクト側コネクター部を有したダクトレールに対して取り付けられる有機ＥＬモジュールにおいて、
前記レール本体は、溝部を有するものであり、
前記ダクト側コネクター部は、前記溝部に沿ってスライド移動可能であり、
発光面を備えた有機ＥＬパネルと、モジュール側コネクター部を有し、
前記モジュール側コネクター部は、前記ダクト側コネクター部と対をなし、互いに嵌合可能であり、
前記ダクトレールに対して取り付けた際に、前記モジュール側コネクター部が前記溝部を通過して前記ダクト側コネクター部と嵌合し、前記ダクト側コネクター部との嵌合方向が前記発光面の広がり方向と直交することを特徴とする有機ＥＬモジュール。
【発明の詳細な説明】
【技術分野】
【０００１】
本発明は、ダクトレールに有機ＥＬモジュールを取り付けた有機ＥＬモジュールの取付構造に関する。また、それに使用する有機ＥＬモジュールに関する。
【背景技術】
【０００２】
近年、白熱灯や蛍光灯に代わる照明装置として、有機ＥＬパネルを内蔵した有機ＥＬモジュールが注目されている。
有機ＥＬパネルは、一般的に、ガラス基板等の基材上に有機ＥＬ素子を積層し、有機ＥＬ素子を封止する構造及び有機ＥＬ素子へ給電する構造を備えたものである。
また、有機ＥＬ素子は、一方又は双方が透光性を有する２つの電極を対向させ、この電極の間に有機化合物からなる発光層を積層したものである。有機ＥＬパネルは、電気的に励起された電子と正孔との再結合のエネルギーによって発光する。【０００３】
有機ＥＬパネルは、面発光であるため、複数の有機ＥＬパネルを並設させて、一つの照明システムとして使用する場合がある（例えば、特許文献１）。【０００４】
例えば、特許文献１には、板状のベース部に複数の有機ＥＬパネルを取り付けた照明装置が開示されている。この特許文献１の照明装置によれば、有機ＥＬパネルを面状に敷き詰めて設置することによって、オフィスや家等の生活空間内で照度を確保することが可能となると考えられる。また、特許文献１の照明装置では、板状のベース部に複数のコネクター取付部を設け、所望の位置のコネクター取付部にコネクターを取り付けることによって、有機ＥＬパネルの配置を調整可能となっている。
【先行技術文献】
【特許文献】
【０００５】
【特許文献１】特開２０１４−１０３０９７号公報
【発明の概要】
【発明が解決しようとする課題】
【０００６】
しかしながら、特許文献１の照明装置は、複数のコネクター取付部の中から所望の位置のコネクター取付部にコネクターを取り付けることによって、有機ＥＬパネルの配置を調整する。そのため、あらかじめベース部に設けられたコネクター取付部の位置でしか、有機ＥＬパネルの位置を調整できず、長手方向に隣接する有機ＥＬパネル間の間隔を精度よく調整できないという問題があった。【０００７】
そこで、本発明では、ダクトレールに対して精度良く有機ＥＬモジュールの位置調整が可能な有機ＥＬモジュールの取付構造及び有機ＥＬモジュールを提供することを課題とする。
【課題を解決するための手段】
【０００８】
上記した課題を解決するために、本発明者は、有機ＥＬパネルの薄くて軽いという特徴に注目し、新たな照明システムの構築を試みた。すなわち、有機ＥＬパネルは薄くて軽いので、他部材に片持ち状に支持させても落下しにくい。
そこで、本発明者は、可動式のコネクターを備えたダクトレールに有機ＥＬパネルを片持ち状に取り付けることによって、有機ＥＬパネルがスライド移動可能となり、有機ＥＬパネルの位置を精度よく調整することが可能となると考えた。
こうすることによって、夜等の照度が必要なときは、ダクトレールの長手方向に隣接する有機ＥＬパネルを近接させた状態にすることによって照度を確保できる。また、精度良く任意の位置に有機ＥＬパネルを設置できるので、有機ＥＬパネルの設置位置のバリエーションが多彩になり、デザイン性に優れる照明システムを構築できると考えた。【０００９】
このような考察のもと導き出された本発明の一つの様相は、ダクトレールに対して有機ＥＬモジュールを取り付ける有機ＥＬモジュールの取付構造であって、前記ダクトレールは、レール本体と、ダクト側コネクター部を有し、前記レール本体は、溝部を有し、前記有機ＥＬモジュールは、発光面を備えた有機ＥＬパネルと、モジュール側コネクター部を有し、前記モジュール側コネクター部は、前記ダクト側コネクター部と対をなし、互いに嵌合可能であり、前記ダクトレールに対して前記有機ＥＬモジュールを取り付けた状態において、前記溝部を通過して前記モジュール側コネクター部と前記ダクト側コネクター部が嵌合し、前記モジュール側コネクター部と前記ダクト側コネクター部の嵌合方向は、前記発光面の広がり方向と略直交することを特徴とする有機ＥＬモジュールの取付構造である。【００１０】
ここでいう「略直交」とは、二つの方向が概ね９０度の角度で交差することをいう。具体的には、「略直交」とは、二つの方向が８８度〜９２度の角度で交差することをいう。【００１１】
本様相によれば、ダクトレールの長手方向にスライド移動可能なダクト側コネクター部に有機ＥＬモジュールのモジュール側コネクター部を嵌合させるため、設置する際に、有機ＥＬモジュールをダクトレールに対して所望の位置に移動可能であり、特許文献１に比べて、精度良く有機ＥＬモジュールの設置位置を調整することが可能である。
本様相によれば、ダクトレールのダクト側コネクター部と有機ＥＬモジュールのモジュール側コネクター部の嵌合方向は、前記発光面の広がり方向と略直交する。すなわち、ダクト側コネクター部とモジュール側コネクター部の嵌合方向が有機ＥＬパネルの発光面に対する垂線と略平行となるので、ダクト側コネクター部及びモジュール側コネクター部が有機ＥＬパネルの発光面と重なりにくく、有機ＥＬパネルの発光面を遮りにくい。【００１２】
好ましい様相は、前記ダクト側コネクター部は、前記溝部に沿ってスライド移動可能であることである。【００１３】
本様相によれば、設置後においても、ダクトレールに長手方向における有機ＥＬモジュールの位置を調整できるので、有機ＥＬモジュールの位置を調整しやすい。【００１４】
好ましい様相は、前記ダクトレールに対して前記有機ＥＬモジュールを取り付けた状態において、前記有機ＥＬモジュールは、前記ダクト側コネクター部と前記モジュール側コネクター部の嵌合を介して、前記ダクトレールによって片持ち状に支持されていることである。【００１５】
本様相によれば、ダクト側コネクター部とモジュール側コネクター部を嵌合させることで、有機ＥＬモジュールをダクトレールによって片持ち状に支持させるので、ダクトレールに対する有機ＥＬモジュールの固定が容易である。【００１６】
好ましい様相は、前記モジュール側コネクター部と前記ダクト側コネクター部の嵌合方向は、水平方向であることである。【００１７】
本様相によれば、モジュール側コネクター部とダクト側コネクター部の嵌合方向が水平方向を向いているので、重力によってモジュール側コネクター部とダクト側コネクター部の嵌合状態が解除されにくく、重力による落下を抑制できる。【００１８】
好ましい様相は、前記モジュール側コネクター部と前記ダクト側コネクター部の嵌合方向は、鉛直方向上方を向いていることである。【００１９】
本様相によれば、モジュール側コネクター部とダクト側コネクター部の嵌合方向が鉛直方向上方を向いているので、モジュール側コネクター部とダクト側コネクター部の接続部位に使用者が触れることを防止できる。【００２０】
好ましい様相は、前記有機ＥＬモジュールは、接続部材を有し、前記有機ＥＬパネルは、パネル側コネクター部を有し、前記接続部材は、本体部を有しており、前記本体部は、第１本体部と、第２本体部を有し、前記第１本体部及び前記第２本体部は、ともに長尺体であって、直接又は間接的に接続されており、前記第１本体部の長手方向は、前記第２本体部の長手方向に対して略直交しており、前記第１本体部の端部は、前記モジュール側コネクター部を備えており、前記第２本体部の端部は、前記パネル側コネクター部と接続可能な接続側コネクター部を備えていることである。【００２１】
本様相によれば、モジュール側コネクター部を備えた第１本体部と、接続側コネクター部を備えた第２本体部とが、直接又は他の部材を介して接続され、互いに直交しているため、モジュール側コネクター部とダクト側コネクター部の嵌合方向と、有機ＥＬパネルの発光面の広がり方向とを互いに直交させやすい。【００２２】
好ましい様相は、前記パネル側コネクター部は、前記有機ＥＬパネルの背面側に位置するものであって、前記接続側コネクター部と嵌合しており、前記パネル側コネクター部と前記接続側コネクター部の嵌合方向は、前記有機ＥＬパネルの発光面と略平行であることである。【００２３】
本様相によれば、パネル側コネクター部と接続側コネクター部の嵌合部分が発光面に隠されやすく、使用者から見えにくい。【００２４】
上記した様相は、前記有機ＥＬモジュールは、接続部材を有し、前記有機ＥＬパネルは、パネル側コネクター部を有し、前記接続部材は、Ｌ字状の本体部を有しており、前記本体部の一方の端部は、前記モジュール側コネクター部を備えており、前記本体部の他方の端部は、前記パネル側コネクター部と接続可能な接続側コネクター部を備えていてもよい。【００２５】
この様相によれば、Ｌ字状の本体部の一方の端部にダクト側コネクター部と嵌合可能なモジュール側コネクター部が設けられており、他方の端部に有機ＥＬパネルのパネル側コネクター部と接続可能な接続側コネクター部が設けられているので、モジュール側コネクター部とダクト側コネクター部の嵌合方向と、有機ＥＬパネルの発光面の広がり方向とを互いに直交させやすい。【００２６】
好ましい様相は、１つのダクトレールに対して複数の有機ＥＬモジュールを取り付ける有機ＥＬモジュールの取付構造であって、前記有機ＥＬモジュールは、１又は複数の有機ＥＬパネルを備え、前記ダクトレールから各有機ＥＬモジュールで独立して給電可能であり、一の有機ＥＬモジュールの有機ＥＬパネルは、前記ダクトレールの延び方向に隣接する他の有機ＥＬモジュールの有機ＥＬパネルと異なる発光色で発光可能であることである。【００２７】
本様相によれば、一の有機ＥＬモジュールの有機ＥＬパネルと他の有機ＥＬモジュールの有機ＥＬパネルとの間で点灯する有機ＥＬモジュールを切り替えることによって、使用用途に合わせて空間を所望の色で照らすことができる。【００２８】
好ましい様相は、前記一の有機ＥＬモジュールの有機ＥＬパネルは、暖色系の発光色で発光可能であり、前記他の有機ＥＬモジュールの有機ＥＬパネルは、寒色系の発光色で発光可能であることである。【００２９】
ここでいう「暖色系の発光色」とは、色温度が４０００Ｋ未満の発光色をいう。
ここでいう「寒色系の発光色」とは、色温度が４０００Ｋ以上の発光色をいう。【００３０】
本様相によれば、暖色系の発光色で点灯可能な有機ＥＬパネルと、寒色系の発光色で点灯可能な有機ＥＬパネルが混在しているため、使用用途に合わせて発光色を変更することができる。【００３１】
上記した様相は、前記有機ＥＬモジュールは、発光面を備えた有機ＥＬパネルを有し、前記有機ＥＬパネルは、調光可能であってもよい。【００３２】
本様相によれば、有機ＥＬパネルが調光可能であるため、所望の明るさに調節することができる。【００３３】
好ましい様相は、１つのダクトレールに対して複数の有機ＥＬモジュールを取り付ける有機ＥＬモジュールの取付構造であって、前記有機ＥＬモジュールは、発光面を備えた有機ＥＬパネルを有し、一の有機ＥＬモジュールの有機ＥＬパネルは、消灯時に発光面が鏡面を形成するものであり、前記一の有機ＥＬモジュールに隣接する有機ＥＬモジュールの有機ＥＬパネルを点灯した状態で、前記一の有機ＥＬモジュールの有機ＥＬパネルを消灯可能であることである。【００３４】
本様相によれば、一の有機ＥＬモジュールに隣接する有機ＥＬモジュールの有機ＥＬパネルを点灯した状態で、前記一の有機ＥＬモジュールの有機ＥＬパネルを消灯可能である。そのため、使用者は、鏡として一の有機ＥＬモジュールの有機ＥＬパネルを使用し、鏡を照らす照明として隣接する有機ＥＬモジュールの有機ＥＬパネルを使用することが可能である。【００３５】
本発明の一つの様相は、レール本体とダクト側コネクター部を有したダクトレールに対して取り付けられる有機ＥＬモジュールにおいて、前記レール本体は、溝部を有するものであり、前記ダクト側コネクター部は、前記溝部に沿ってスライド移動可能であり、発光面を備えた有機ＥＬパネルと、モジュール側コネクター部を有し、前記モジュール側コネクター部は、前記ダクト側コネクター部と対をなし、互いに嵌合可能であり、前記ダクトレールに対して取り付けた際に、前記モジュール側コネクター部が前記溝部を通過して前記ダクト側コネクター部と嵌合し、前記ダクト側コネクター部との嵌合方向が前記発光面の広がり方向と直交することである。【００３６】
本様相によれば、モジュール側コネクター部をダクトレールの長手方向にスライド移動可能なダクト側コネクター部に嵌合させるため、ダクトレールの長手方向において、所望の位置に移動可能であり、特許文献１に比べて、精度良く位置を調整することが可能である。
また、本様相によれば、有機ＥＬモジュールのモジュール側コネクター部とダクトレールのダクト側コネクター部との嵌合方向は、前記発光面の広がり方向と直交するので、ダクト側コネクター部及びモジュール側コネクター部が有機ＥＬパネルの発光面と重なりにくく、遮りにくい。
【発明の効果】
【００３７】
本発明の有機ＥＬモジュールの取付構造及び有機ＥＬモジュールによれば、精度良く有機ＥＬモジュールの位置調整が可能である。
【図面の簡単な説明】
【００３８】
【図１】本発明の照明システムの利用例を模式的に示した斜視図である。
【図２】図１の１つの有機ＥＬモジュールの斜視図である。
【図３】図２のソケット部材の正面図である。
【図４】図２のソケット部材と接続部材の接続関係を示す説明図であり、（ａ）は断面図であり、（ｂ）は一部破断平面図である。
【図５】図２の有機ＥＬモジュールの分解斜視図である。
【図６】図５の有機ＥＬパネルの分解斜視図である。
【図７】図５の有機ＥＬパネルの側面図である。
【図８】図２の接続部材の斜視図である。
【図９】図５の連結部材を図５とは別の方向からみた斜視図である。
【図１０】図１の１つの有機ＥＬモジュールに注目した側面図である。
【図１１】本発明の照明システムの利用例を模式的に示した斜視図であり、暖色系有機ＥＬパネルの発光面をドットで示す。
【図１２】本発明の照明システムの利用例を模式的に示した斜視図であり、寒色系有機ＥＬパネルの発光面をドットで示す。
【図１３】本発明の照明システムの利用例を模式的に示した斜視図であり、点灯している有機ＥＬパネルの発光面をドットで示す。
【図１４】本発明の第２実施形態の照明システムを模式的に示した斜視図である。
【図１５】図１４の有機ＥＬモジュールの取付構造の斜視図である。
【図１６】図１５の有機ＥＬモジュールの取付構造の断面図である。
【図１７】本発明の他の実施形態の要部の斜視図であり、（ａ）はプラグ部が三角錘台である場合、（ｂ）はプラグ部が２つの円錐台である場合、（ｃ）はプラグ部が片側テーパー状である場合を表す。
【図１８】本発明の他の実施形態の接続部材の斜視図であり、（ａ）は本体部が短い場合の図であり、（ｂ）は本体部が長い場合の図である。
【図１９】本発明の他の実施形態の連結部材の斜視図であり、（ａ）は本体部が短い場合の図であり、（ｂ）は本体部が長い場合の図である。
【図２０】図１８，図１９の接続部材，連結部材を組み合わせて形成した照明システムの説明図である。
【図２１】本発明の他の実施形態の有機ＥＬモジュールの取付構造の側面図である。
【図２２】本発明の他の実施形態の接続部材の斜視図であり、（ａ）は本体部が湾曲している場合の図であり、（ｂ）は本体部が２段階に曲がっている場合の図である。
【図２３】本発明の他の実施形態の有機ＥＬパネルの説明図であり、（ａ）は三角形状の有機ＥＬパネルの斜視図であり、（ｂ）は六角形状の有機ＥＬパネルの斜視図であり、（ｃ）は円形状の有機ＥＬパネルの斜視図である。
【図２４】本発明の他の実施形態の照明システムを表す説明図であり、消灯時の鏡面機能を備えた有機ＥＬパネルを使用する場合の斜視図である。（ａ）は同一面積を持った有機ＥＬパネルを使用する場合、（ｂ）は大面積を持つ有機ＥＬパネルを混在させて使用する場合の図である。
【図２５】本発明の他の実施形態の有機ＥＬモジュールの取付構造の斜視図である。
【発明を実施するための形態】
【００３９】
以下、本発明の実施形態について詳細に説明する。なお、以下の説明において、特に断りのない限り、図１の姿勢を基準とする。
【００４０】
本発明の第１実施形態の照明システム４は、図１に示されるように、オフィスや家等の生活空間８を照らす照明システムであり、垂直壁９１（被設置面）と平行に１又は複数の有機ＥＬモジュールの取付構造１が並設されたものである。この垂直壁９１は、床面９２から鉛直方向に立ち上がり、天井９０に対して直交する壁である。
本実施形態の照明システム４は、図１のように、有機ＥＬモジュールの取付構造１が垂直壁９１に平行になるように所定の方向に敷かれており、垂直壁９１側から生活空間８を照らすことが可能となっている。
【００４１】
本実施形態の有機ＥＬモジュールの取付構造１は、図１に示されるように、天井９０近傍に設けられたダクトレール２に複数の有機ＥＬモジュール３を取り付けたものである。
すなわち、有機ＥＬモジュールの取付構造１は、１本のダクトレール２に複数の有機ＥＬモジュール３が片持ち状に支持されるが、理解を容易にするため、以下の説明においては、１つの有機ＥＬモジュール３とダクトレール２との関係に注目して説明する。
【００４２】
ダクトレール２は、図示しない外部電源等から各有機ＥＬモジュール３に給電する給電線を備えた部材であり、各有機ＥＬモジュール３の調光等の制御を行う信号線を備えた部材でもある。
ダクトレール２は、図２に示されるように、レール本体５と、複数のソケット部材６（図２では１つ）（ダクト側コネクター部）を備えている。
レール本体５は、断面形状が略「コ」の字状の部材であり、所定の方向（長さ方向Ｙ）に延びた長尺状の部材である。レール本体５は、上下方向Ｘに所定の間隔を空けて対面する２つのレール壁部１０，１１と、これら２つのレール壁部１０，１１の端部間を接続するレール壁部１２から構成されている。すなわち、レール本体５は、レール壁部１０，１１，１２によって囲繞された囲繞空間１５を備えている。
【００４３】
天面を構成するレール壁部１０と底面を形成するレール壁部１１は、その幅方向Ｚの端部に係止片１３，１４をそれぞれ備えている。
係止片１３，１４は、ソケット部材６の落下を防止する部位である。
係止片１３は、レール壁部１０の端部から下方に向けて立設された立壁であり、係止片１４は、レール壁部１１の端部から上方に向けて立設された立壁である。すなわち、係止片１３，１４は、互いに近接する方向に立ち上がっており、その端面同士が対面している。
囲繞空間１５は、長手方向（長さ方向Ｙ）に延び、レール壁部１２から離反する方向に外部に開放された空間であり、その内部にソケット部材６を収納可能な空間である。
【００４４】
別の観点からみると、レール本体５は、図２に示されるように、長手方向（長さ方向Ｙ）に直線状に延びたスライド溝９（溝部）を備えている。
スライド溝９は、上下方向に幅をもち帯状に延びた溝であり、係止片１３，１４の立ち上がり方向端面によって形成された溝である。すなわち、スライド溝９は、囲繞空間１５と外部を連通する連通溝であるともいえる。
【００４５】
ソケット部材６（ダクト側コネクター部）は、各有機ＥＬモジュール３に給電線及び信号線を接続するためのソケットである。
ソケット部材６は、図３に示されるように、ソケット本体１６を備え、ソケット本体１６内に端子部１７と、磁力発生部１８，１９を有している。
ソケット本体１６は、端子部１７と、磁力発生部１８，１９を収納する筐体であり、一方向に開放された箱状体である。すなわち、ソケット本体１６は、断面形状が凹状をしており、５つの壁面（天面形成部２０、底面形成部２１、背面形成部２２、及び側面形成部２３，２４）で囲まれた内部空間２５を備えている。
内部空間２５は、端子部１７及び磁力発生部１８，１９が収納された収納空間であって、後述する有機ＥＬモジュール３の接続部材４２の一部を挿入可能な挿入空間でもある。
【００４６】
天面形成部２０は、内部空間２５の天面を覆う壁部であり、その内側面には、傾斜面３０と嵌合部３１が形成されている。
傾斜面３０は、有機ＥＬモジュールの取付構造１を組み立てたときに、図４（ａ）に示されるように、水平面に対して所定の角度で傾斜した壁面である。
傾斜面３０の傾斜角度θ１は、２度以上４度以下であることが好ましい。本実施形態では、傾斜面３０のテーパー比が約１／２０となっている。
嵌合部３１は、図３に示されるように、傾斜面３０から下方に向けて突出した凸部であり、接続部材４２の一部と嵌合する部位である。
【００４７】
底面形成部２１は、内部空間２５の底面を覆う壁部であり、内部空間２５を挟んで天面形成部２０と対向する壁部である。
底面形成部２１の内側面には、図３に示されるように、傾斜面３２と、溝部３３が設けられている。
傾斜面３２は、有機ＥＬモジュールの取付構造１を組み立てたときに、水平面に対して所定の角度で傾斜した壁面である。
傾斜面３２の傾斜角度は、傾斜面３０の傾斜角度θ１と同程度であり、２度以上４度以下であることが好ましい。本実施形態では、テーパー比が約１／２０となっている。
溝部３３は、図４に示されるように傾斜面３２の一部が切り欠かれた凹部であり、有底の窪みである。
【００４８】
背面形成部２２は、内部空間２５の背面を覆う壁部であり、その内側面には、端子部１７と、磁力発生部１８，１９が設けられている。
【００４９】
側面形成部２３，２４は、内部空間２５の側面を覆う壁部であり、その内側面には、傾斜面３４，３５が形成されている。
傾斜面３４，３５は、有機ＥＬモジュールの取付構造１を組み立てたときに、図４（ｂ）に示されるように、鉛直面に対して所定の角度で傾斜した壁面である。
傾斜面３４，３５の傾斜角度θ３は、２度以上４度以下であることが好ましい。本実施形態では、テーパー比が約１／２０となっている。
【００５０】
端子部１７は、図示しない制御基板を介して、外部電源及びマイコン等に電気的に接続された給電線及び信号線が接続された端子である。すなわち、端子部１７は、給電部であって、かつ、信号送受信部でもある。
磁力発生部１８，１９は、磁力を発生する部位であり、具体的には、永久磁石である。
【００５１】
別の観点からみると、ソケット本体１６は、図３に示されるように、その部材厚方向Ｘの中央であって、幅方向Ｙの中央にソケット穴２６を備えている。
ソケット穴２６は、開口面が水平方向を向いた穴であり、内部空間２５を内蔵する穴である。すなわち、ソケット穴２６は、天面形成部２０、底面形成部２１、背面形成部２２、及び側面形成部２３，２４の内側壁部によって形成された穴である。
つまり、ソケット穴２６は、内側面の断面の内形形状が四角形状で、略四角錘台状の穴であり、その頂面（背面形成部２２）に端子部１７及び磁力発生部１８，１９が配されている。また、ソケット穴２６の内周を形成する内側面は、傾斜面３０，３２，３４，３５によって形成されており、傾斜面３０，３２，３４，３５は、端子部１７及び磁力発生部１８，１９に向かう方向に傾斜している。
高さ方向Ｘ（上下方向）に対向する傾斜面３０，３２は、開口側から端子部１７側に向けて近接していき、幅方向Ｙ（厚み方向に直交する方向）に対向する傾斜面３４，３５も、開口側から端子部１７側に向けて近接していく。
また、ソケット穴２６は、接続部材４２のプラグ部６０を挿着可能となっている。
【００５２】
有機ＥＬモジュール３は、図５に示されるように、複数の有機ＥＬパネル４０，４１と、接続部材４２と、連結部材４３が組み立てられて構成されるものである。
【００５３】
有機ＥＬパネル４０，４１は、面状発光光源であり、ダクトレール２からの信号に基づいて調光可能となっている。
有機ＥＬパネル４０，４１は、図６に示されるように、パネル本体４５と、コネクター部材４６から構成されている。
パネル本体４５は、面状に広がりをもった板状部材であり、図７に示されるように、片面が発光面４７を構成する発光パネルである。パネル本体４５は、有機発光層が第１電極層と第２電極層に挟まれた有機ＥＬ素子を内蔵したものである。
パネル本体４５は、図６に示されるように、発光面４７と反対側の面（裏面）に、各電極層に給電するための給電部４８を備えている。給電部４８は、幅方向Ｙ及び長さ方向Ｘにおいてパネル本体４５の中央に位置している。
パネル本体４５は、発光面４７を平面視したときに、四角形状をしており、本実施形態では、正方形状をしている。
【００５４】
コネクター部材４６は、図５，図６から読み取れるように、平面視「十」字状の部材である。コネクター部材４６は、中央部５０と、中央部５０から４方向に延びた延伸コネクター部５１，５２，５３，５４を備えている。
具体的には、コネクター部材４６は、中央部５０を挟んで長さ方向Ｘに直線状に並んだ２つの延伸コネクター部５１，５２（連結用コネクター部，パネル側コネクター部）と、中央部５０から幅方向Ｙ（延伸コネクター部５１，５２と直交する方向）に直線状に延びた延伸コネクター部５３，５４を備えている。すなわち、コネクター部材４６は、中央部５０から有機ＥＬパネル４０（４１）の各辺に向かって延びた延伸コネクター部５１，５２，５３，５４を備えている。
【００５５】
延伸コネクター部５１は、図６，図７から読み取れるように、長尺状の部位であり、延び方向の先端部（中央部５０と反対側の端部）に、端子部５６と、切り欠き部５７（５７ａ，５７ｂ）（パネル側係合部）を備えている。
端子部５６は、接続部材４２と接続可能なコネクター端子であり、具体的には、マイクロＵＳＢ（Micro Universal Serial Bus）端子であり、メス端子である。すなわち、端子部５６は、幅をもった板状であり、幅が水平方向を向いている。
端子部５６は、図示しない制御基板を介してパネル本体４５の給電部４８と電気的に接続可能となっている。
【００５６】
切り欠き部５７（パネル側係合部）は、図７から読みとれるように、延伸コネクター部５１の下端部の一部を切り欠いた切り欠きである。すなわち、端子部５６は、図示しない制御基板によって片持ち状に支持され、延伸コネクター部５１の外壁によって天面及び側面の一部が覆われている。
また、切り欠き部５７には、接続部材４２の一部（係合部７１）と係合可能となっており、係合部ともいえる。
【００５７】
延伸コネクター部５２は、図６に示されるように、延伸コネクター部５１と同一形状をした部位であり、端子部５８と、切り欠き部５９（５９ａ，５９ｂ）を備えている。
端子部５８は、連結部材４３と接続可能なコネクター端子であり、具体的には、端子部５６と同様のマイクロＵＳＢ端子であり、メス端子である。すなわち、端子部５８は、幅をもった板状であり、端子部５６と同様、幅が水平方向を向いている。
端子部５８は、図示しない制御基板を介して端子部５６と電気的に接続されており、有機ＥＬモジュール３を組み立てることによって、図示しない制御基板を介してパネル本体４５の給電部４８と電気的に接続可能となっている。
【００５８】
切り欠き部５９は、延伸コネクター部５２の下端部の一部を切り欠いた切り欠きである。すなわち、端子部５８は、端子部５６と同様、図示しない制御基板によって、片持ち状に支持され、延伸コネクター部５２の外壁によって天面及び側面の一部が覆われている。
また、切り欠き部５９には、連結部材４３の一部（係合部８３）と係合可能となっている。
【００５９】
延伸コネクター部５３，５４は、図６に示されるように、長尺状の部位であり、有機ＥＬパネルの重心を調整する部材である。延伸コネクター部５３，５４は、延伸コネクター部５１，５２とは異なり、延伸方向の端面が壁面によって閉塞されている。
【００６０】
接続部材４２は、ダクトレール２と有機ＥＬパネル４０を接続する部材であり、図８に示されるように、Ｌ字状に延びた部材である。
接続部材４２は、プラグ部６０（モジュール側コネクター部）と、接続側コネクター部６１と、プラグ部６０と接続側コネクター部６１を接続する本体部６２から構成されている。
【００６１】
プラグ部６０は、図８に示されるように、接続部材４２の長手方向の一方の端部を構成する部位である。
プラグ部６０は、ソケット部材６のソケット穴２６と対をなす部位であり、ソケット部材６のソケット穴２６に挿着することでダクトレール２のソケット部材６と電気的及び物理的に接続可能となっている。
【００６２】
プラグ部６０は、図８に示されるように、略四角錘台状であって、断面の外形形状が四角形状をしており、長手方向（挿入方向Ｚ）基端側から先端側（端子部６３側）に向けて、外形面積が漸次小さくなっている。
具体的には、プラグ部６０の外周を形成する外側面は、４面とも傾斜面６４（６５，６６，６７）を備えている。
傾斜面６４，６５，６６，６７は、いずれも挿入方向Ｚに対して交差する方向に傾斜しており、端子部６３に向かう方向に傾斜している。
厚み方向Ｘ（上下方向）に対向する傾斜面６４，６５は、基端側から先端側に向けて近接していき、幅方向Ｙ（厚み方向に直交する方向）に対向する傾斜面６６，６７も、基端側から先端側に向けて近接していく。すなわち、プラグ部６０の外側面は、４面がテーパー状となっており、基端側から先端側に向けて先細りしている。
【００６３】
図４（ａ）に示される傾斜面６４，６５の傾斜角度θ２は、ソケット部材６のソケット穴２６の内壁を構成する傾斜面３０，３２の傾斜角度θ１と同一の傾斜角度である。
傾斜面６４，６５の傾斜角度θ２は、２度以上４度以下であることが好ましい。本実施形態では、テーパー比が約１／２０となっている。
図４（ｂ）に示される傾斜面６６，６７の傾斜角度θ４は、ソケット部材６のソケット穴２６の内壁を構成する傾斜面３４，３５の傾斜角度θ３と同一の傾斜角度である。
傾斜面６６，６７の傾斜角度θ４は、２度以上４度以下であることが好ましい。本実施形態では、テーパー比が約１／２０となっている。
傾斜面６４，６５，６６，６７の表面は、微細な凹凸が設けられたマット面となっていることが好ましい。
例えば、傾斜面６４，６５，６６，６７の表面は、ソケット部材６への脱着を良好にする観点から、算術平均粗さが０．０５μｍ〜０．４μｍのマット面であることが好ましい。
【００６４】
プラグ部６０の天面を形成する傾斜面６４には、嵌合方向Ｚに延びた嵌合凹部７３を備えている。
嵌合凹部７３は、ダクトレール２のソケット穴２６の嵌合部３１と嵌合可能な溝である。
【００６５】
プラグ部６０は、ダクトレール２の長手方向（長さ方向Ｙ）に延びた横長形状をしている。プラグ部６０は、幅方向Ｙの長さを１としたときの厚み方向Ｘの長さは、０．５以上１０以下であることが好ましい。
【００６６】
プラグ部６０は、図８に示されるように、長手方向の頂面（嵌合方向Ｚの端面）に端子部６３と、強磁性部６８，６９を備えている。
【００６７】
端子部６３は、図示しない制御基板の給電口及び信号口となる部位であり、ソケット部材６の端子部１７と対をなす部位である。すなわち、端子部６３は、ソケット部材６の端子部１７と接触することでソケット部材６と電気的に接続することが可能となる。すなわち、端子部６３は、端子部１７からの給電部であって、かつ、信号送受信部でもある。
【００６８】
強磁性部６８，６９は、磁力発生部１８，１９と対をなす部位であり、磁力発生部１８，１９からの磁力を受ける部位である。強磁性部６８，６９は、具体的には、鉄等の強磁性体で形成されている。
【００６９】
接続側コネクター部６１は、接続部材４２の他方の端部を構成する部位であり、コネクター部材４６と電気的及び物理的に接続可能な部位である。
接続側コネクター部６１は、図８に示されるように、端子部７０と、係合部７１（接続側係合部）を備えている。
端子部７０は、図示しない回路基板の給電口及び信号口となる部位であり、回路基板を介して端子部６３と電気的に接続された端子である。
端子部７０は、有機ＥＬパネル４０の端子部５６と対をなすコネクターであり、有機ＥＬパネル４０の端子部５６と接続することで、有機ＥＬパネル４０の制御基板と電気的に接続することが可能となる。すなわち、端子部７０は、給電部であって、かつ、信号送受信部でもある。
【００７０】
端子部７０は、具体的には、マイクロＵＳＢ端子であり、オス端子である。すなわち、端子部７０は、幅をもった板状であって、開口を有しており、当該開口に端子部５６を挿着可能となっている。
【００７１】
係合部７１は、接続部材４２と有機ＥＬパネル４０の接続強度を補強する部位である。係合部７１は、接続部材４２の側面部から長手方向に張り出した係合片７２ａ，７２ｂから構成され、コネクター部材４６の切り欠き部５７ａ，５７ｂ（図７参照）と係合可能となっている。
係合片７２ａ，７２ｂは、略長方形状の板状部位であり、幅方向Ｙに所定の間隔を空けて配されている。また、係合片７２ａ，７２ｂは、端子部７０を挟んで互いに対面している。
【００７２】
本体部６２は、図８に示されるように、側面視Ｌ字状をしており、一方向（嵌合方向Ｚ）に延びた第１接続部７５（第１本体部）と、第１接続部７５の端部から直交する方向に延びた第２接続部７６（第２本体部）から構成されている。
第１接続部７５の端部には、プラグ部６０が設けられており、第２接続部７６の端部には、接続側コネクター部６１が設けられている。
【００７３】
連結部材４３は、２枚の有機ＥＬパネル４０，４１を連結する部材であり、隣接する有機ＥＬパネル４０，４１間の間隔を調整する部材である。
連結部材４３は、図５に示されるように、長尺状の部材であり、本体部８８と、連結側コネクター部８０，８１を備えている。
【００７４】
本体部８８は、図９に示されるように、連結側コネクター部８０，８１を接続する部材であり、直線状に延びた長尺体である。
連結側コネクター部８０は、本体部８８の長手方向（延び方向Ｚ）の一方の端部に設けられたコネクターであり、端子部８２と、係合部８３を備えている。
端子部８２は、図示しない回路基板の給電口及び信号口となる部位であり、回路基板を介して端子部８５と電気的に接続された端子である。
端子部８２は、有機ＥＬパネル４０の端子部５８（図６参照）と対をなすコネクターであり、有機ＥＬパネル４０の端子部５８と接続することで、有機ＥＬパネル４０の制御基板と電気的に接続することが可能となる。すなわち、端子部８２は、給電部であって、かつ、信号送受信部でもある。
端子部８２は、具体的には、マイクロＵＳＢ端子であり、オス端子である。すなわち、端子部８２は、幅をもった板状であって、開口を有しており、当該開口に端子部５８を挿着可能となっている。また端子部８２は、幅が水平方向に向いている。
【００７５】
係合部８３は、有機ＥＬパネル４０と連結部材４３の接続強度を補強する部位である。係合部８３は、連結部材４３の側面部から長手方向に張り出した係合片８４ａ，８４ｂから構成され、コネクター部材４６の切り欠き部５９ａ，５９ｂ（図６参照）と係合可能となっている。
係合片８４ａ，８４ｂは、略長方形状の板状部位であり、幅方向Ｙに所定の間隔を空けて配されている。また、係合片８４ａ，８４ｂは、端子部８２を挟んで互いに対面している。
【００７６】
連結側コネクター部８１は、本体部８８の他方の端部に位置する部位であり、接続部材４２の接続側コネクター部６１と同一形状の部位である。
連結側コネクター部８１は、図５に示されるように、端子部８５と、係合部８６を備えている。
端子部８５は、図示しない回路基板の給電口及び信号口となる部位であり、回路基板を介して端子部８２と電気的に接続された端子である。
端子部８５は、有機ＥＬパネル４１の端子部５６と対をなすコネクターであり、有機ＥＬパネル４１の端子部５６と接続することで、有機ＥＬパネル４１の制御基板と電気的に接続することが可能となる。すなわち、端子部８５は、給電部であって、かつ、信号送受信部でもある。
端子部８５は、具体的には、マイクロＵＳＢ端子であり、オス端子である。すなわち、端子部８５は、幅をもった板状であって、開口を有しており、当該開口に端子部５６を挿着可能となっている。
【００７７】
係合部８６は、連結部材４３と有機ＥＬパネル４１の接続強度を補強する部位である。係合部８６は、連結部材４３の側面部から長手方向に張り出した係合片８７ａ，８７ｂから構成され、コネクター部材４６の切り欠き部５７ａ，５７ｂと係合可能となっている。
係合片８７ａ，８７ｂは、略長方形状の板状部位であり、幅方向Ｙに所定の間隔を空けて配されている。また、係合片８７ａ，８７ｂは、端子部８５を挟んで互いに対面している。
【００７８】
続いて、照明システム４を組み立てたときの有機ＥＬモジュールの取付構造１の各構成部材の位置関係について説明する。
【００７９】
ダクトレール２は、図１，図１０から読み取れるように、天井９０に平行となるように設けられており、スライド溝９の開口は水平方向を向いている。すなわち、レール本体５は、天面形成部２０を天面とする姿勢で固定されており、囲繞空間１５は水平方向に開放されている。
また、ダクトレール２は、レール本体５の囲繞空間１５内にソケット部材６が配されており、ソケット部材６は、ダクトレール２の延び方向（長さ方向Ｙ）にスライド移動可能に支持されている。
ソケット部材６は、レール本体５の囲繞空間１５内の所望の位置に配されており、ソケット部材６のソケット穴２６は、レール本体５のスライド溝９と連通している。
【００８０】
接続部材４２の第１接続部７５に設けられたプラグ部６０は、ダクトレール２のソケット部材６に嵌合されている。すなわち、プラグ部６０は、図１０に示されるように、レール本体５のスライド溝９を通過してソケット部材６のソケット穴２６に嵌挿されている。
プラグ部６０の傾斜面６４，６５，６６，６７は、図４から読み取れるように、ソケット穴２６の傾斜面３０，３２，３４，３５と実質的に全面に亘って面接触しており、プラグ部６０の端子部６３は、ソケット穴２６の嵌挿方向Ｚの底部に形成された端子部１７と接触している。
ここでいう「実質的に面接触」とは、一方の面の９０％以上の部位が接触している状態をいう。
すなわち、プラグ部６０の傾斜面６４，６５，６６，６７は、ソケット穴２６の傾斜面３０，３２，３４，３５と９０％以上の部位で面接触している。プラグ部６０の傾斜面６４，６５，６６，６７は、抜け落ち防止の観点から、９５％以上の部位で面接触していることが好ましく、９７％以上の部位で面接触していることがより好ましく、９９％以上の部位で面接触していることが特に好ましい。
【００８１】
プラグ部６０の強磁性部６８，６９は、ソケット部材６の磁力発生部１８，１９から磁力を受けており、プラグ部６０は、ソケット穴２６との嵌挿方向Ｚに付勢されている。
プラグ部６０の傾斜面６４に設けられた嵌合凹部７３は、ソケット穴２６の嵌合部３１と嵌合している。
また、プラグ部６０とソケット穴２６の嵌合方向Ｚは、水平方向成分のみであり、鉛直方向に対して直交している。すなわち、第１接続部７５は、水平方向に延びており、第２接続部７６は、鉛直方向に延びている。言い換えると、第１接続部７５は、垂直壁９１に直交しており、第２接続部７６は、垂直壁９１と平行となっている。
【００８２】
接続部材４２の第１接続部７５に設けられた接続側コネクター部６１は、図１０に示されるように、有機ＥＬパネル４０のコネクター部材４６と接続されている。
具体的には、接続側コネクター部６１の端子部７０内には、延伸コネクター部５１の端子部５６が嵌挿されており、接続側コネクター部６１と延伸コネクター部５１は、物理的及び電気的に接続されている。
また、この接続側コネクター部６１の端子部７０と延伸コネクター部５１の端子部５６の嵌合に伴って、接続部材４２の係合片７２ａ，７２ｂは、延伸コネクター部５１の切り欠き部５７ａ，５７ｂに嵌っており、互いに係合している。
端子部７０と端子部５６の接続部位は、その周囲が、延伸コネクター部５１の外壁部、係合片７２ａ，７２ｂ、及びパネル本体４５の背面によって囲まれており、外部に露出していない。すなわち、端子部７０と端子部５６の接続部位は、使用者が接触できないようになっている。
【００８３】
連結部材４３の長手方向の一方の端部に設けられた連結側コネクター部８０は、図１０に示されるように、接続部材４２と反対側から、有機ＥＬパネル４０のコネクター部材４６と接続されている。
具体的には、連結側コネクター部８０の端子部８２内には、有機ＥＬパネル４０の延伸コネクター部５２の端子部５８が嵌挿されており、連結側コネクター部８０と延伸コネクター部５２は、物理的及び電気的に接続されている。
また、連結側コネクター部８０の端子部８２と延伸コネクター部５２の端子部５８の嵌合に伴って、連結部材４３の係合片８４ａ，８４ｂは、延伸コネクター部５２の切り欠き部５９ａ，５９ｂに嵌っており、互いに係合している。
端子部８２と端子部５８の接続部位は、その周囲が、延伸コネクター部５２の外壁部、係合片８４ａ，８４ｂ、及びパネル本体４５の背面によって囲まれており、外部に露出していない。すなわち、端子部８２と端子部５８の接続部位は、使用者が接触できないようになっている。
【００８４】
連結部材４３の長手方向の他方の端部に設けられた連結側コネクター部８１は、図１０に示されるように、有機ＥＬパネル４０とは異なる他の有機ＥＬパネル４１のコネクター部材４６と接続されている。
具体的には、連結側コネクター部８１の端子部８５内には、有機ＥＬパネル４１の延伸コネクター部５１の端子部５６が嵌挿されており、連結側コネクター部８１と延伸コネクター部５１は、物理的及び電気的に接続されている。
また、連結側コネクター部８１の端子部８５と延伸コネクター部５１の端子部５６の嵌合に伴って、連結部材４３の係合片８７ａ，８７ｂは、延伸コネクター部５１の切り欠き部５７ａ，５７ｂに嵌っており、互いに係合している。
端子部８５と端子部５６の接続部位は、その周囲が、延伸コネクター部５１の外壁部、係合片８７ａ，８７ｂ、及びパネル本体４５の背面によって囲まれており、外部に露出していない。すなわち、端子部８５と端子部５６の接続部位は、使用者が接触できないようになっている。
【００８５】
有機ＥＬパネル４１は、図１０に示されるように発光面４７が水平方向を向いた鉛直姿勢となっている。すなわち、発光面４７に対する垂線は、天井９０と平行であって、垂直壁９１に対して直交している。
パネル本体４５の発光面４７と、コネクター部材４６の端子部５６，５８は、水平方向に離間して平行となっている。すなわち、コネクター部材４６の端子部５６と接続部材４２の端子部７０の嵌合方向は、パネル本体４５の発光面４７の広がり方向（面方向）と平行となっており、コネクター部材４６の端子部５８と連結部材４３の端子部８２の嵌合方向も、パネル本体４５の発光面４７の広がり方向と平行となっている。
また、有機ＥＬパネル４０の発光面４７は、プラグ部６０とソケット穴２６の嵌合方向と同一方向を向いている。言い換えると、有機ＥＬパネル４０の発光面４７の広がり方向は、プラグ部６０とソケット穴２６の嵌合方向と直交する関係となっている。
【００８６】
連結部材４３によって連結された有機ＥＬパネル４０，４１の発光面４７，４７は、同一平面上に並んでおり、ともに鉛直方向に並んでいる。
有機ＥＬパネル４０，４１は、連結部材４３による連結方向Ｘの端面同士が接触していない。すなわち、有機ＥＬパネル４０，４１の間には、連結部材４３によって隙間が形成されている。具体的には、有機ＥＬパネル４０，４１の最も近接する端部間の距離は、パネル本体４５の一辺の１／１０以上１／２以下であることが好ましい。
【００８７】
垂直壁９１と有機ＥＬパネル４１の発光面４７は、平行となっており、これら垂直壁９１と発光面４７は、所定の間隔を空けて離間している。垂直壁９１と発光面４７の間隔は、５ｃｍ以上５０ｃｍ以下であることが好ましく、１０ｃｍ以上３０ｃｍ以下であることがより好ましい。
【００８８】
有機ＥＬモジュールの取付構造１の全体をみると、図１に示されるように、１本のダクトレール２に複数の有機ＥＬモジュール３が接続されており、複数の有機ＥＬモジュール３がダクトレール２の長手方向に並設されている。
ダクトレール２に接続された各有機ＥＬモジュール３は、いずれも同一の接続部材４２によってソケット部材６と有機ＥＬパネル４０が接続されており、さらに同一の連結部材４３によって有機ＥＬパネル４０，４１が接続されている。
すなわち、各有機ＥＬモジュール３のソケット部材６と有機ＥＬパネル４０間の距離は一定となっており、各有機ＥＬモジュール３の有機ＥＬパネル４０と有機ＥＬパネル４１間の距離も一定となっている。そのため、整然と有機ＥＬパネル４０，４１が垂直壁９１に並んだ印象を使用者に与えることができる。また、ダクトレール２は、各有機ＥＬモジュール３に対して独立して給電可能となっている。
【００８９】
本実施形態の有機ＥＬモジュールの取付構造１によれば、有機ＥＬモジュール３とダクトレール２との接続をダクトレール２のソケット部材６と有機ＥＬモジュール３のプラグ部６０との嵌合によって、電気的及び物理的に接続している。そのため、ねじ等の締結要素を使用せずとも、ダクトレール２に有機ＥＬモジュール３を取り付けることができる。
【００９０】
本実施形態の有機ＥＬモジュールの取付構造１によれば、外側面に傾斜面６４，６５，６６，６７を備えたプラグ部６０と、内側面に傾斜面３０，３２，３４，３５を備えたソケット穴２６が嵌合してダクトレール２に有機ＥＬモジュール３が取り付けられる。そのため、ダクトレール２と有機ＥＬモジュール３を正確に接続することが可能であるとともに、有機ＥＬモジュール３の脱着が容易である。
【００９１】
本実施形態の有機ＥＬモジュールの取付構造１によれば、各有機ＥＬモジュール３間で同一の長さの接続部材４２及び連結部材４３を使用することによって、各有機ＥＬモジュール３の有機ＥＬパネル４０，４１間の距離を一定にすることが可能である。そのため、整然と有機ＥＬパネル４０，４１を垂直壁９１に敷き詰めることができる。
【００９２】
第１実施形態の有機ＥＬモジュールの取付構造１によれば、垂直壁９１と発光面４７が所定の間隔を空けて平行に配されているので、例えば、垂直壁９１の色と、発光面４７側の面であって発光面４７以外の部分の色を同色にすることによって、点灯時に使用者に対して発光面４７が天井７から浮いたように見せることができる。
【００９３】
本実施形態の有機ＥＬモジュールの取付構造１によれば、ダクトレール２の長手方向において、有機ＥＬモジュールをダクトレール２に対して相対的にスライド移動可能である。すなわち、有機ＥＬモジュール３を取り付けた後に、間隔調整をすることができる。そのため、ダクトレール２の長手方向について決まった間隔で有機ＥＬモジュール３を取り付ける場合でも、取付作業時に距離を測定して位置決めを行う作業が不要となり、有機ＥＬモジュール３の取付作業の効率化が可能である。
【００９４】
本実施形態の有機ＥＬモジュールの取付構造１によれば、ダクトレール２から有機ＥＬモジュール３に設けられた有機ＥＬパネル４０，４１の調光可能である。そのため、生活空間８を所望の明るさに調節することができる。
【００９５】
本実施形態の有機ＥＬモジュールの取付構造１によれば、複数の異なる発光色を示す有機ＥＬモジュール３を使用することによって、生活空間８を所望の色に照らすことができる。
具体的には、図１１，図１２から読み取れるように、一の有機ＥＬモジュール３に暖色系の発光色（例えば、色温度が３０００Ｋ）で発光可能な有機ＥＬパネル４０Ａ，４１Ａ（以下、暖色系有機ＥＬパネルともいう。）を１又は複数設け、一の有機ＥＬモジュール３に対してダクトレール２の延び方向に隣接する他の有機ＥＬモジュール３に寒色系の発光色（例えば、色温度が５０００Ｋ）で発光可能な有機ＥＬパネル４０Ｂ，４１Ｂ（以下、寒色系有機ＥＬパネルともいう。）を１又は複数設ける。
そして、生活空間８を暖色系の発光色で照らしたい場合には、図１１のように、暖色系の発光面４７を持つ暖色系有機ＥＬパネル４０Ａ，４１Ａをそれぞれ点灯させ、寒色系の発光面を持つ寒色系有機ＥＬパネル４０Ｂ，４１Ｂをそれぞれ消灯させる。こうすることによって、生活空間８を暖色系の暖かさを感じさせる色で照らすことが可能となる。
また、生活空間８を寒色系の発光色で照らしたい場合には、図１２のように、寒色系の発光面４７を持つ寒色系有機ＥＬパネル４０Ｂ，４１Ｂをそれぞれ点灯させ、暖色系の発光面を持つ暖色系有機ＥＬパネル４０Ａ，４１Ａをそれぞれ消灯させる。こうすることによって、生活空間８を寒色系の冷たさを感じさせる色で照らすことが可能となる。
【００９６】
ここで、暖色系有機ＥＬパネル４０Ａ，４１Ａを備えた有機ＥＬモジュール３（以下、暖色系有機ＥＬモジュール３Ａともいう）で生活空間８を照らしている状態から、点灯する有機ＥＬモジュール３Ａを、寒色系有機ＥＬパネル４０Ｂ，４１Ｂを備えた有機ＥＬモジュール３（以下、寒色系有機ＥＬモジュール３Ｂともいう）に切り替える場合について説明する。
暖色系有機ＥＬモジュール３Ａを消灯し、寒色系有機ＥＬモジュール３Ｂを点灯させて、点灯する有機ＥＬモジュール３を暖色系有機ＥＬモジュール３Ａから寒色系有機ＥＬモジュール３Ｂに切り替えると、暖色系有機ＥＬモジュール３Ａの有機ＥＬパネル４０Ａ，４１Ａは、消灯直後から一定時間（例えば、０．５秒〜２秒）発光したまま維持される。すなわち、生活空間８は明るさを維持したまま、発光色が変化するので、生活空間８内の色が使用者に緩やかに変化したように見せることができる。
【００９７】
第１実施形態の有機ＥＬモジュールの取付構造１によれば、各有機ＥＬモジュール３を独立して制御できるので、特定の有機ＥＬモジュール３Ｄのみを点灯させることができる。そのため、点灯させる有機ＥＬモジュール３Ｄの数によって、明るさを調整することもできる。また、図１３のように点灯する位置も調整することができる。
【００９８】
続いて、本発明の第２実施形態の有機ＥＬモジュールの取付構造１００について説明する。なお、第１実施形態と同様の構成については、同様の符番を付して、説明を省略する。
【００９９】
第２実施形態の有機ＥＬモジュールの取付構造１００は、図１４，図１５から読み取れるように、第１実施形態の有機ＥＬモジュールの取付構造１とダクトレール２のスライド溝９の開口の向きが異なる。
具体的には、第２実施形態の有機ＥＬモジュールの取付構造１００は、ダクトレール２のスライド溝９の開口が鉛直方向上方を向いている。
【０１００】
以下、照明システムを組み立てたときの有機ＥＬモジュールの取付構造１００の各構成部材の位置関係について説明する。
【０１０１】
ダクトレール２は、図１５，図１６から読み取れるように、天井９０（被設置面）に対して所定の間隔を空けて離間しており、スライド溝９の開口は天井９０を向いている。すなわち、レール本体５は、背面形成部２２を底面とする姿勢で固定されており、囲繞空間１５は上方に向かって開放している。
また、プラグ部６０とソケット穴２６の嵌合方向Ｚは、鉛直方向成分のみであり、水平方向に対して直交している。
すなわち、第１接続部７５は、鉛直方向上方に延びており、第２接続部７６は、水平方向に延びている。言い換えると、第１接続部７５は、垂直壁９１と平行になっており、第２接続部７６は、垂直壁９１に対して直交している。
【０１０２】
有機ＥＬパネル４１は、図１６に示されるように発光面４７が鉛直方向下方を向いた水平姿勢となっている。すなわち、発光面４７に対する垂線は、天井９０と直交し、垂直壁９１と平行となっている。
【０１０３】
連結部材４３によって連結された有機ＥＬパネル４０，４１の発光面４７，４７は、同一平面上に並んでおり、ともに水平方向に並んでいる。
【０１０４】
第２実施形態の有機ＥＬモジュールの取付構造１００によれば、ダクトレール２のスライド溝９が鉛直方向上方を向いており、プラグ部６０とソケット穴２６の嵌合が背面形成部２２の上方で行われる。そのため、使用者が不意に端子部１７に触ってしまうことを防止できる。
また、第２実施形態の有機ＥＬモジュールの取付構造１００によれば、スライド溝９以外の部分が閉塞されているため、ダクトレール２にごみ等が入りにくい。
【０１０５】
第２実施形態の有機ＥＬモジュールの取付構造１００によれば、天井９０と発光面４７が所定の間隔を空けて平行に配されているので、例えば、天井９０の色と発光面４７側の面であって発光面４７以外の部分の色を同色にすることによって、使用者に対して発光面４７が天井９０から浮いたように見せることができる。
【０１０６】
上記した実施形態では、プラグ部６０の断面の外形形状が四角形状であったが、本発明はこれに限定されるものではない。図１７（ａ）に示されるようにプラグ部６０の断面の外形形状を三角形状等の多角形状としても良いし、図１７（ｂ）に示されるように円形状としてもよい。
上記の変更に伴いソケット部材６の断面の内形形状は、適宜、図１７（ａ）に示されるように三角形状等の多角形状としても良いし、図１７（ｂ）に示されるように円形状としてもよい。なお、プラグ部６０の断面の外形形状を円形状する場合には、周方向の回転を抑制する観点から、プラグ部６０を複数設けることが好ましい。
また、上記した実施形態では、プラグ部６０は四角錘状であったが、本発明はこれに限定されるものではなく、プラグ部６０は長円錘状や楕円錘状であってもよい。
さらに、上記した実施形態では、プラグ部６０の外側面全体が傾斜面となっていたが、本発明はこれに限定されるものではない。例えば、図１７（ｃ）に示されるような下面のみが傾斜面を持っていてもよい。同様に、上記した実施形態では、ソケット穴２６の内側面全体が傾斜面となっていたが、本発明はこれに限定されるものではない。例えば、図１７（ｃ）に示されるような下面のみが傾斜面を持っていてもよい。
【０１０７】
上記した実施形態では、各有機ＥＬパネル４０，４１の間隔が一定となるように隣接する有機ＥＬモジュール３間で同一種類の接続部材４２及び連結部材４３を使用したが、本発明はこれに限定されるものではない。図１８，図１９に示されるような異なる種類の接続部材及び／又は連結部材で有機ＥＬパネルを接続してもよい。すなわち、図１８に示されるような本体部６２の長さの異なる種類の接続部材４２や、図１９に示されるような本体部８８の長さの異なる種類の連結部材４３を用いて、図２０に示される有機ＥＬモジュールの取付構造１３０のように、各有機ＥＬパネル４０，４１の間隔を調整してもよい。つまり、有機ＥＬパネル４０，４１の間隔は等間隔でなくてもよい。
【０１０８】
また、上記した実施形態では、連結部材４３によって隣接する有機ＥＬパネル４０，４１が離間するように有機ＥＬパネル４０，４１を連結していたが、本発明はこれに限定されるものではなく、図２０に示される有機ＥＬモジュール３ａのように、短い連結部材４３によって隣接する有機ＥＬパネル４０，４１が実質的に隙間なく接触するように有機ＥＬパネル４０，４１を連結してもよい。
【０１０９】
上記した第１実施形態では、ダクトレール２のスライド溝９は、水平方向を向いていたが、本発明はこれに限定されるものではなく、図２１に示されるように、ダクトレール２のスライド溝９は、鉛直方向下向きを向いていてもよい。
【０１１０】
上記した実施形態では、ソケット部材をダクトレール側に設け、プラグ部を有機ＥＬモジュール側に設けたが、本発明はこれに限定されるものではなく、ソケット部材を有機ＥＬモジュール側に設け、プラグ部をダクトレール側に設けてもよい。すなわち、凹凸の嵌合関係を逆転させてもよい。
【０１１１】
上記した実施形態では、有機ＥＬモジュール３として２枚の有機ＥＬパネル４０，４１を備えたものを使用したが、本発明はこれに限定されるものではなく、有機ＥＬモジュール３として１枚の有機ＥＬパネルを備えたものであってもよいし、有機ＥＬモジュール３として３枚以上の有機ＥＬパネルを備えたものであってもよい。前者の場合は、連結部材４３が不要となり、後者の場合は、連結部材４３によって有機ＥＬパネルを連結することが好ましい。
【０１１２】
上記した実施形態では、接続部材の本体部は、第１接続部と第２接続部が直接接続されていたが、本発明はこれに限定されるものではなく、他の部材や部位を介して接続されていてもよい。
【０１１３】
上記した実施形態では、接続部材１０１の本体部１０２は、第１接続部１０３と第２接続部１０４が直交していたが、本発明はこれに限定されるものではなく、本体部１０２は、図２２（ａ）に示されるように、円弧状に湾曲していてもよいし、図２２（ｂ）に示されるように、複数段階に曲がっていてもよい。
【０１１４】
上記した実施形態では、有機ＥＬパネル側の端子をメス端子とし、接続部材側の端子及び連結部材側の端子をオス端子としたが、本発明はこれに限定されるものではなく、有機ＥＬパネル側の端子をオス端子とし、接続部材側の端子及び連結部材側の端子をメス端子としてもよい。
【０１１５】
上記した実施形態では、有機ＥＬパネルと接続部材を接続するコネクター端子としてマイクロＵＳＢ端子を使用したが、本発明はこれに限定されるものではない。有機ＥＬパネルと接続部材を接続するコネクター端子として、他の種類のＵＳＢ端子を使用してもよい。例えば、ミニＵＳＢ端子を使用してもよい。
【０１１６】
上記した実施形態では、発光面４７が生活空間８側を向いていたが、本発明はこれに限定されるものではない。例えば、発光面４７が生活空間８と反対側、すなわち、天井９０側を向いていてもよいし、垂直壁９１側を向いていてもよい。また発光面４７は床面９２側を向いていてもよい。このようにすることで、間接照明への応用も可能である。
【０１１７】
上記した実施形態では、パネル本体４５は、発光面４７を平面視したときに、四角形状をしていたが、本発明はこれに限定されるものではない。パネル本体４５は、他の多角形状であってもよい。パネル本体４５は、例えば、図２３（ａ）のように三角形状であってもよいし、図２３（ｂ）のように六角形状であってもよい。パネル本体４５は、隙間なく敷き詰めたり、一定の間隔で敷き詰めたりできる観点から、正多角形であることが好ましい。
また、パネル本体４５は、図２３（ｃ）のように円形状であってもよいし、楕円形状であってもよい。
【０１１８】
上記した第１実施形態の応用例として、照明システム４を構成する一部又は全部の有機ＥＬパネルに、消灯時に少なくとも発光面４７が鏡面となる有機ＥＬパネルを使用してもよい。すなわち、鏡として機能する鏡面有機ＥＬパネルを使用してもよい。
例えば、図２４（ａ）のように、特定の有機ＥＬパネル１５０ｂを消灯し、特定の有機ＥＬパネル１５０ｂにダクトレール２の延び方向に隣接する有機ＥＬパネル１５０ａを点灯させる。こうすることで、使用者は、消灯した有機ＥＬパネル１５０ｂを鏡として使用でき、点灯した有機ＥＬパネル１５０ａを鏡として機能する有機ＥＬパネル１５０ｂを照らす照明として使用することができる。鏡の面積を大きくする観点から、図２４のように、消灯時に全面が鏡面となる有機ＥＬパネルを使用することが好ましい。すなわち、消灯時に生活空間８側であって発光面４７以外の部位も鏡面となっている有機ＥＬパネルを使用することが好ましい。
また、各有機ＥＬパネル１５０の大きさは、全て同じである必要はなく、図２４（ｂ）のように大面積の有機ＥＬパネル１５０ｃを混在させてもよい。
なお、有機ＥＬモジュール内で、消灯時に鏡面となる有機ＥＬパネルと、消灯時に発光面以外の部分が垂直壁９１と同系色となる有機ＥＬパネルとを混在させて併用させてもよい。
【０１１９】
上記した第１実施形態では、いずれの有機ＥＬモジュール３の接続部材４２も第２接続部７６が第１接続部７５から下側に向けて折れ曲がっていたが、本発明はこれに限定されるものではない。例えば、第２接続部７６が第１接続部７５から上側に向けて折れ曲がっていてもよい。また、図２５のように、第２接続部７６が第１接続部７５から下側に向けて折れ曲がっていた有機ＥＬモジュール１６０と、第２接続部７６が第１接続部７５から上側に向けて折れ曲がっていた有機ＥＬモジュール１６１が混在してもよい。
【符号の説明】
【０１２０】
１，１００，１３０  有機ＥＬモジュールの取付構造
２  ダクトレール
３，１６０，１６１  有機ＥＬモジュール
５  レール本体
６  ソケット部材（ダクト側コネクター部）
９  スライド溝（溝部）
４０，４１，１５０  有機ＥＬパネル
４２，１０１  接続部材
４３  連結部材
４７  発光面
５１，５２  延伸コネクター部（連結用コネクター部，パネル側コネクター部）
６０  プラグ部（モジュール側コネクター部）
６１  接続側コネクター部
６２，１０２  本体部
７５，１０３  第１接続部（第１本体部）
７６，１０４  第２接続部（第２本体部）
８０，８１  連結側コネクター部
【図１】
0006615177.tif 000002
【図２】
0006615177.tif 000003
【図３】
0006615177.tif 000004
【図４】
0006615177.tif 000005
【図５】
0006615177.tif 000006
【図６】
0006615177.tif 000007
【図７】
0006615177.tif 000008
【図８】
0006615177.tif 000009
【図９】
0006615177.tif 000010
【図１０】
0006615177.tif 000011
【図１１】
0006615177.tif 000012
【図１２】
0006615177.tif 000013
【図１３】
0006615177.tif 000014
【図１４】
0006615177.tif 000015
【図１５】
0006615177.tif 000016
【図１６】
0006615177.tif 000017
【図１７】
0006615177.tif 000018
【図１８】
0006615177.tif 000019
【図１９】
0006615177.tif 000020
【図２０】
0006615177.tif 000021
【図２１】
0006615177.tif 000022
【図２２】
0006615177.tif 000023
【図２３】
0006615177.tif 000024
【図２４】
0006615177.tif 000025
【図２５】
0006615177.tif 000026